(57)【要約】【課題】配管専用のスペースを要することがない省スペースで、かつ設置強度を確保した貯湯式温水器を提供すること。【解決手段】本発明の貯湯式温水器は、貯湯タンク１を有する貯湯ユニットと、前記貯湯ユニットの下部に設けられ前記貯湯ユニットを支持する複数の脚６と、脚６と同数の脚固定台１５とを備え、脚固定台１５は、脚固定台１５をアンカーボルトにて設置するアンカーボルト締結部１５１と、脚６と脚固定台１５とを接続固定する脚固定部１５４と、アンカーボルト締結部１５１と脚固定部１５４とを連結させる脚柱部１５２から構成され、アンカーボルト締結部１５１にアンカーボルトを相通する穴を複数個設けるとともに、前記貯湯ユニットは脚固定台１５を介して設置されることを特徴とする。【選択図】図１
2008101836.tif 000002
【特許請求の範囲】
【請求項１】
貯湯タンクを有する貯湯ユニットと、前記貯湯ユニットの下部に設けられ前記貯湯ユニットを支持する複数の脚と、前記脚と同数の脚固定台とを備え、前記脚固定台は、前記脚固定台をアンカーボルトにて設置するアンカーボルト締結部と、脚と脚固定台とを接続固定する脚固定部と、前記アンカーボルト締結部と前記脚固定部とを連結させる脚柱部から構成され、前記アンカーボルト締結部にアンカーボルトを相通する穴を複数個設けるとともに、前記貯湯ユニットは前記脚固定台を介して設置されることを特徴とすることを特徴とする貯湯式温水器。
【請求項２】
アンカーボルトを挿通する穴は、脚柱を中心として略一定の回転角度毎に配設されることを特徴とする請求項１に記載の貯湯式温水器。
【請求項３】
脚固定部にナットが固定されていることを特徴とする請求項１または２に記載の貯湯式温水器。
【発明の詳細な説明】
【技術分野】
【０００１】
本発明は、貯湯式温水器に関するもので、特に、貯湯式温水器の設置構造に関するものである。
【背景技術】
【０００２】
昨今の貯湯式温水器は、風呂への自動湯張り機能、暖房機能などを備え、かつ大容量のタンクを備えるタイプが一般的である。さらに、都会においては高層化したマンションが増加傾向にあり、貯湯式温水器をマンションに取り付ける場合には、省スペースに取り付けられることが求められていると同時に、高層階においては、地震にたいしてより十分な強度を確保しなければならない。
【０００３】
従来の貯湯式温水器の設置構造について図６を用いて説明する。図６は、従来の貯湯式温水器の設置構造要部である。
【０００４】
図６において、従来の貯湯式温水器本体１０１を設置する場合には、設置する１つの脚１０２に対して１本のアンカーボルトで設置していた（例えば、特許文献１参照）。そのため、設置強度を保証するためにアンカーボルト１０８の深さを確保しなければならず、貯湯式温水器本体１０１の設置場所にコンクリート台１０３を別途設けることで、アンカーボルト１０８の長さを長くして設置強度を確保していた。
【特許文献１】特開２００１−４１５９０号公報
【発明の開示】
【発明が解決しようとする課題】
【０００５】
しかしながら、アンカーボルト１０８の長さを長くするためにコンクリート台１０３を別途設けてしまうと、貯湯式温水器に接続される各種配管（例えば、排水処理配管、風呂や暖房機に湯を供給するための配管など）をレイアウトする際に、コンクリート台１０３が邪魔になるため、コンクリート台１０３を避けてレイアウトすることになり、配管専用のスペースが必要となる課題を有していた。
【０００６】
本発明は、上記従来の課題を解決するもので、配管専用のスペースを要することがない省スペースで、かつ設置強度を確保した貯湯式温水器を提供することを目的とする。
【課題を解決するための手段】
【０００７】
前記従来の課題を解決するために、本発明の貯湯式温水器は、貯湯タンクを有する貯湯ユニットと、前記貯湯ユニットの下部に設けられ前記貯湯ユニットを支持する複数の脚と、前記脚と同数の脚固定台とを備え、前記脚固定台は、前記脚固定台をアンカーボルトにて設置するアンカーボルト締結部と、脚と脚固定台とを接続固定する脚固定部と、前記アンカーボルト締結部と前記脚固定部とを連結させる脚柱部から構成され、前記アンカーボルト締結部にアンカーボルトを相通する穴を複数個設けるとともに、前記貯湯ユニットは前記脚固定台を介して設置されることを特徴とすることにより、脚固定台を設置してから貯湯ユニットと脚固定台を接続固定することができるので、重量が重い貯湯ユニットを直接アンカーボルトで設置することがなく、設置作業が容易になる。さらに、複数本のアンカーボルトで貯湯ユニットを設置するため、貯湯ユニットの脚にかかる荷重が複数のアンカーボルトに分散され、１本のアンカーボルトで１つの脚を固定していた時に比べて、アンカーボルト一本当たりにかかる荷重が小さくなり、アンカーボルトの長さを長くする必要がないので、コンクリート台を別途設ける必要がなく、配管専用のスペースを要することのない省スペース化を実現することができる。
【発明の効果】
【０００８】
本発明は、配管専用のスペースを要することがない省スペースで、かつ設置強度を確保した貯湯式温水器を提供することができる。
【発明を実施するための最良の形態】
【０００９】
第１の発明の貯湯式温水器は、貯湯タンクを有する貯湯ユニットと、前記貯湯ユニットの下部に設けられ前記貯湯ユニットを支持する複数の脚と、前記脚と同数の脚固定台とを備え、前記脚固定台は、前記脚固定台をアンカーボルトにて設置するアンカーボルト締結部と、脚と脚固定台とを接続固定する脚固定部と、前記アンカーボルト締結部と前記脚固定部とを連結させる脚柱部から構成され、前記アンカーボルト締結部にアンカーボルトを相通する穴を複数個設けるとともに、前記貯湯ユニットは前記脚固定台を介して設置されることを特徴とすることにより、脚固定台を設置してから貯湯ユニットと脚固定台を接続固定することができるので、重量が重い貯湯ユニットを直接アンカーボルトで設置することがなく、設置作業が容易になる。さらに、複数本のアンカーボルトで貯湯ユニットを設置するため、貯湯ユニットの脚にかかる荷重が複数のアンカーボルトに分散され、１本のアンカーボルトで１つの脚を固定していた時に比べて、アンカーボルト一本当たりにかかる荷重が小さくなり、アンカーボルトの長さを長くする必要がないので、コンクリート台を別途設ける必要がなく、配管専用のスペースを要することのない省スペース化を実現することができる。また、脚柱部は金属製の筒形状であるので強度もあり、貯湯式温水器の満水質量と高さにあわせて可能な限り細くすることができる。金属製の筒形状であるので、従来のように薄板板金を箱曲げした構造の脚に比べてもせん断力、引っ張り力に対して強度があり、脚柱を細くしても耐震強度に問題はない。また、大径で曲げ伸ばし加工にも制約がある排水処理配管などの配管工事をする際にも、脚固定台を設置するために極めて効率のよいレイアウトが実現でき、確実に省スペース化を図ることができる。
【００１０】
第２の発明の貯湯式温水器は、特に第１の発明において、アンカーボルトを挿通する穴は、脚柱を中心として略一定の回転角度毎に配設されることにより、それぞれのアンカーボルトには均等に荷重が分散するので、より安定して貯湯ユニットを設置することができる。
【００１１】
第３の発明の貯湯式温水器は、特に第１または第２の発明において、脚固定部にナットが固定されていることにより、脚と脚固定部とを連結するアンカーボルトの締結作業において、ナットが予め固定されているので、ボルトの締結作業が簡易化され、施工性が向上する。
【００１２】
以下、本発明の実施の形態について、図面を参照しながら説明する。なお、この実施の形態によって本発明が限定されるものではない。
【００１３】
（実施の形態１）
図１は本実施の形態における貯湯式温水器の構成図、図２は同実施の形態における貯湯式温水器の下方部正面図、図３は同実施の形態における貯湯式温水器の斜視図、図４は同実施の形態における貯湯式温水器の要部斜視図である。
【００１４】
図１、図２、図３、図４において、本実施の形態における貯湯ユニットは、お湯を貯める貯湯タンク１を有し、貯湯タンク１の湯水を取出し熱源機２で加熱後、再度貯湯タンク１に戻すことで沸き上げ回路３を構成し、貯湯タンク１の上部から高温水を積層状態で貯湯するようにしている。なお、本実施の形態においてはＣＯ２を冷媒とした超臨界ヒートポンプサイクルを熱源としたヒートポンプ給湯機にて説明するが、電気ヒータを熱源とする電気温水器でもよく、また、電気ヒータは貯湯タンク1内に設けても、貯湯タンク1外に
設けた構成でもよいものである。
４は直方体形状の外装筐体であり、４１は底板である。５は脚固定金具であり前方２箇所後方１箇所となるよう貯湯タンク1の下方周上に１２０度均等配置されている。５１は脚固定金具ベ−スであり、ここに脚６が各々２本のねじ７により固定されている。
８は給水パイプであり、減圧弁９に接続された後、貯湯タンク1の下部と出湯制御部１０に水道水を導くようになっている。
【００１５】
出湯制御部１０からは、給湯パイプ１１、ふろ自動機能配管１２、温水暖房機能配管１３が出力されており、それぞれの接続口が底板４１に配置されている。
【００１６】
製品が据付け設置され給水パイプ８より水道水が供給されると貯湯タンク１をはじめ製品の配管が満水状態となり運転が開始されると、一般的には深夜の時間帯に沸き上げ回路３の作用によって貯湯タンク１の上部から高温水を積層状態で貯湯する。その後、ユ−ザ−が給湯、シャワ−、ふろ、床暖房などの機能を使用すると、貯湯タンク１の上部から熱湯と、給水パイプ８から水道水が供給され、出湯制御部１０が機能毎の必要に応じて、適温かつ適量のお湯を出力するようになる。
また１４の排水栓は、径大で床面に設置された排水配管１４１に一定の吐水口空間をもって排水できるようになっており、貯湯タンク１の定期的な掃除などの場合に、汚れ分を排出するために使用される。
【００１７】
１５は脚固定台であり底部にアンカ−ボルト締結面１５１と、脚柱１５２と、天部に脚固定用ナット１５３を溶接した脚固定面１５４からなる。このアンカ−ボルト締結面１５１には複数ここでは２つのアンカーボルト締結穴を有している。また本実施の形態においては、脚柱１５２を中心として１８０度の回転角度で２つのアンカーボルト締結穴を設けているが、例えばアンカーボルト締結面１５１に１２０度の回転角度で３つのアンカーボルト締結穴を設けても良いが、このように一定の回転角度毎にアンカーボルト締結穴を設けることで、荷重が分散する。
【００１８】
１６はアンカ−ボルト、１６１はアンカ−用ナットである。これにより、脚固定台１５は貯湯式温水器より外した状態でアンカーボルト１６の締結が可能であり、締結作業が楽なためアンカーボルトの本数を増加することも容易になっている。また、アンカーボルトの強度確保が従来のようにコンクリート台を作成しなくても可能となって、貯湯式温水器の設置工事は大幅に簡易化できる。
【００１９】
さらに、大径で曲げ伸ばし加工にも制約がある排水配管１４１を配管工事をする際に、同時に脚固定台１５のアンカ−ボルト締結作業をすることができ、極めて効率のよいレイアウトが実現できるため、確実に省スペース化できる。
【００２０】
一方、脚固定台１５の天部と底部の締結穴は異なる位置に配することで、例えば並びを９０度振っておれば、地震発生時にアンカ−ボルト締結面１５１および脚固定面１５４にかかる応力は分散低減でき、筒形状である脚柱を細くすることができる。脚柱は金属製の筒形状であり、従来のように薄板板金を箱曲げした構造の脚に比べてもせん断力、引っ張り力に対して強度があり、脚柱が細くても耐震強度に問題はない。
【００２１】
また、脚柱が細くなったことで、配管スペースが大きくなり、貯湯式温水器の省スペース化が実現する。実施例の脚柱は四角形状としているが、丸型形状でもよい。
【００２２】
また、集合住宅のバルコニ−は水はけをよくする関係から床面に勾配をもうけており、こうした床面への設置工事には、貯湯式温水器が水平面に設置できるようにしなければ、安定した耐震強度が確保できない。
【００２３】
１７はスペ−サであり、床面の低い側にある脚固定台１５の下部に設けることで脚固定面１５４が全て同一高さで水平となり、貯湯式温水器は常に水平面上に設置できる。特に集合住宅のバルコニ−は壁面から外に向かって勾配が低くなっているが、貯湯式温水器はメンテナンスを考慮の正面の方向を外に向けることが多く、脚固定台１５の天部と底部の締結穴は並びを９０度振っておけば、アンカ−ボルト締結面１５１が勾配の向きに対し９０度となり安定した設置が可能である。
【００２４】
また、図５に示すように脚固定台１６の底部のアンカ−ボルト締結面１５１は円形状となっており締結穴が放射状に均等配置されておれば、任煮の勾配の向きに対しても常に９０度に合わせてスペ−サ17をセットでき、汎用性のある施工が可能となる。
【００２５】
また、脚固定板１５およびスペーサ１７は表面に亜鉛めっきなどの防錆処理をする場合があるが、脚柱１５２の内面にも防錆処理が可能なように、アンカ−ボルト締結面１５１、脚固定１５４に穴があってもよい。
【産業上の利用可能性】
【００２６】
以上のように、本発明にかかる貯湯式温水器の構成は、ヒートポンプ給湯機以外にも、電気温水器や燃料電池を使用したコジェネレーションシステム、ガスを使用した貯湯式給湯機等においても利用することができる。
【図面の簡単な説明】
【００２７】
【図１】本発明の第１の実施の形態における貯湯式温水器の構成図
【図２】同実施の形態における貯湯式温水器の下方部正面図
【図３】同実施の形態における貯湯式温水器の斜視図
【図４】同実施の形態における貯湯式温水器の要部斜視図
【図５】同実施の形態における貯湯式温水器の要部斜視図
【図６】従来の形態における貯湯式温水器の要部拡大図
【符号の説明】
【００２８】
１    貯湯タンク
６    脚
１５１    アンカーボルト締結面
１５２    脚柱
１５３    ナット
１５４    脚固定面
【図１】
2008101836.tif 000003
【図２】
2008101836.tif 000004
【図３】
2008101836.tif 000005
【図４】
2008101836.tif 000006
【図５】
2008101836.tif 000007
【図６】
2008101836.tif 000008